(57)【要約】【課題】  比較的高い剛性と強度を有しながら高い減衰能を有するＭｎ基の制振合金からなる制振部材をその一部に使用し、優れた加工精度の切削加工を行い得る切削工具把持具の提供。【解決手段】  取付孔（３４）に棒状の切削工具（５０）の一端部を挿入し固定した上で切削機械に取り付けるための切削工具把持具（１）である。質量％で、Ｃｕ：１６．９〜２７．７％、Ｎｉ：２．１〜８．２％、Ｆｅ：１．０〜２．９％を含むとともに、Ｃ：０．０５％以下とし、残部をＭｎ及び不可避的不純物とした成分組成の制振合金からなり、長手方向に沿った中央貫通穴を取付孔（３４）として与え且つねじ切りされた外周面（３２）を有する制振合金管体（３）を該制振合金よりもヤング率を大とする材料からなる剛性保持管体（２）のねじ切りされた筒内面（２２）に沿って螺合固着させたことを特徴とする。【選択図】図４
2014008572.tif 000002
【特許請求の範囲】
【請求項１】
取付孔に棒状の切削工具の一端部を挿入し固定した上で切削機械に取り付けるための切削工具把持具であって、
質量％で、Ｃｕ：１６．９〜２７．７％、Ｎｉ：２．１〜８．２％、Ｆｅ：１．０〜２．９％を含むとともに、Ｃ：０．０５％以下とし、残部をＭｎ及び不可避的不純物とした成分組成の制振合金からなり、長手方向に沿った中央貫通穴を前記取付孔として与え且つねじ切りされた外周面を有する制振合金管体を該制振合金よりもヤング率を大とする材料からなる剛性保持管体のねじ切りされた筒内面に沿って螺合固着させたことを特徴とする切削工具把持具。
【請求項２】
前記制振合金管体は、長手方向の端部に与えられた鍔部を前記剛性保持管体の端面に押圧させるように、その反対側端部を前記剛性保持管体に挿入させつつ前記筒内面に沿って螺合固着せしめられていることを特徴とする請求項１記載の切削工具把持具。
【発明の詳細な説明】
【技術分野】
【０００１】
本発明は、切削工具を切削機械に取付けるための切削工具把持具に関し、特に、取付孔に棒状の切削工具の一端部を挿入し固定した上で切削機械に取り付けるための切削工具把持具に関する。
【背景技術】
【０００２】
被加工物と切削工具とを当接させながらこれらを互いに相対的に移動させて切削を行う切削加工において、振動による加工精度の低下が問題となる。特に、被加工物の孔内周面を切削する中ぐり加工では、ボーリングバーのような長尺棒状の切削工具の一端部近傍を片持ち支持して加工を行うため、切削工具に「ビビリ振動」を生じやすい。そこで切削工具を切削機械に取付けるための切削工具把持具に振動を抑制する制振合金からなる制振機構を設けることが行われている。
【０００３】
例えば、特許文献１では、切削加工時にボーリングバーに生じる振動が直接的に切削工具把持具に伝播するのを防止するよう、鋼材等からなる円筒状の把持具本体の軸線に沿った嵌合穴に制振部材からなる円筒状のスリーブを嵌挿し、このスリーブの内周面にボーリングバーのシャンク部を挿入、クランプネジによって押圧固定することを開示している。シャンク部のクランプネジへの当接部分とは反対側の外周面部分を押圧面とし、かかる押圧面と対向する嵌合穴の内面部分との間に制振部材を介装させることで、ボーリングバーに生じる振動を制振部材で減衰・吸収し、ボーリングバーの振れを抑え、特にシャンク部と把持具本体との共振による「ビビリ振動」を防止するとしている。かかる押圧面部分に使用され得る制振部材としては、アルミニウム、銅、亜鉛、真鍮、またはこれらを主成分とする合金、あるいは制振鋼板等を挙げている。
【０００４】
更に、特許文献２では、金属製のスリーブの軸中心に沿って芯部材を嵌合させるように螺着させ、該芯部材の工具保持穴に切削工具のシャンクを嵌合させて取り付けること、かかる芯部材に軽量、かつ振動吸収性に優れた純マグネシウム、あるいはマグネシウム合金を用い得ることを開示している。切削工具把持具におけるスリーブと芯部材とを別体とすることで、切削加工時に切削工具から切削工具把持具を介して切削機械の取付台に伝わる振動を芯部材で吸収しようとするのである。
【０００５】
また、特許文献３では、切削工具とこれを押圧固定する工具台座との間に制振部材を介在させることを開示するが、かかる制振部材において、減衰係数が高いほど切削加工時の振動を抑制でき切削工具の食いつき時などの衝撃応答を低下させるとする一方、減衰性能と、引張強さ等で表現される剛性や強度とはトレードオフの関係にあり、減衰性を高くしすぎると却って切削工具の振動を激しくし、加工精度の低下を招くことを述べている。その上で、制振部材としては、引張強さ５００〜６５０ＭＰａ、対数減衰率０．２〜０．３５の金属材料、例えば、Ｍｎをべースとし、基本組成として、原子％で、Ｃｕ：２０±５％、Ｎｉ：５±３％、Ｆｅ：２±１％を含有する制振合金などが好ましいとしている。
【先行技術文献】
【特許文献】
【０００６】
【特許文献１】実開平０５−０８８８０４号公報
【特許文献２】実登録３１５３２４７号公報
【特許文献３】特開２００４−２０２６４９号公報
【発明の概要】
【発明が解決しようとする課題】
【０００７】
特許文献１乃至３に開示のように、切削工具とこれを押圧固定せしめる部分との間に制振部材を介在させることが広く行われている。しかしながら、制振部材の制振特性はその材料によって大きく異なるが、制振部材の材料毎に最適化された切削工具把持具などの設計は考慮されて来なかった。すなわち、必ずしも切削工具の振動を最大限抑制し、高い加工精度の切削加工を与えていたとは言えないのである。
【０００８】
本発明はかかる状況に鑑みてなされたものであって、その課題は、優れた加工精度の切削加工を行い得る切削工具把持具を提供することにある。
【課題を解決するための手段】
【０００９】
本発明による切削工具把持具は、取付孔に棒状の切削工具の一端部を挿入し固定した上で切削機械に取り付けるための切削工具把持具であって、質量％で、Ｃｕ：１６．９〜２７．７％、Ｎｉ：２．１〜８．２％、Ｆｅ：１．０〜２．９％を含むとともに、Ｃ：０．０５％以下とし、残部をＭｎ及び不可避的不純物とした成分組成の制振合金からなり、長手方向に沿った中央貫通穴を前記取付孔として与え且つねじ切りされた外周面を有する制振合金管体を該制振合金よりもヤング率を大とする材料からなる剛性保持管体のねじ切りされた筒内面に沿って螺合固着させたことを特徴とする。
【００１０】
かかる発明によれば、比較的高い剛性と強度を有しながら広い周波数範囲の振動を効率よく吸収できる高い減衰能を有するＭｎ基の双晶型制振合金からなる制振合金管体を剛性保持管体の筒内面に沿って広い面積で螺合固着させて、かかる切削工具把持具に切削工具を取り付けての切削加工において、優れた加工精度を与え得るのである。
【００１１】
上記した発明において、前記制振合金管体は、長手方向の端部に与えられた鍔部を前記剛性保持管体の端面に押圧させるように、その反対側端部を前記剛性保持管体に挿入させつつ前記筒内面に沿って螺合固着せしめられていることを特徴としてもよい。かかる発明によれば、比較的高い剛性と強度を有するＭｎ基の双晶型制振合金からなる制振合金管体を剛性保持管体の筒内面に沿って広い面積でより強固に螺合固着させて、かかる切削工具把持具に切削工具を取り付けての切削加工において、より優れた加工精度を与え得るのである。
【図面の簡単な説明】
【００１２】
【図１】本発明による切削工具把持具を示す側断面図及び正面図である。
【図２】本発明による切削工具把持具の構成部品を示す側断面図及び正面図である。
【図３】本発明による切削工具把持具の構成部品を示す側面図及び正面図である。
【図４】本発明による切削工具把持具による切削工具の固定方法を示す側断面図である。
【図５】切削加工における真円度の測定結果を示す図である。
【図６】切削加工における表面粗さの測定結果を示す図である。
【図７】本発明による他の実施例における切削工具把持具による切削工具の固定方法を示す側断面図である。
【発明を実施するための形態】
【００１３】
本発明による実施例の１つである切削工具把持具について、図１乃至図４を用いて説明する。
【００１４】
図１に示すように、切削工具を把持しこれを切削機械に取り付けるための把持具１は、略円筒形状の剛性材料からなる保持管体（剛性保持管体）２と、略円筒形状の制振合金からなるスリーブ（制振合金管体）３とを同軸に組み合わせてなる。保持管体２は、その一端部にフランジ２１を有し、フランジ２１と反対側の端部からスリーブ３を挿入され、スリーブ３の一端部に設けられた鍔部３１の側面を保持管体２の端面２４に当接させている。
【００１５】
図２を併せて参照すると、保持管体２は、その内周面２２に軸線に沿った全長に亘る雌ネジを与えられている。また、保持管体２には、外周面から内周面２２に貫通し、後述するように切削工具を固定するためのボルトを取り付ける貫通孔２３が設けられている。貫通孔２３は、軸線方向に沿って複数設けられている。保持管体２は、例えば、Ｓ４５Ｃのような鋼からなり、後述するスリーブ３よりも少なくとも大きなヤング率を有する剛性体であって、典型的には、スリーブ３よりも２倍以上大きいヤング率を有することが好ましい。
【００１６】
図３に示すように、スリーブ３は、鍔部３１以外の外周面３２に軸線方向に沿って雄ネジを与えられており、上記した保持管体２の内周面２２の雌ねじに対応して螺合可能である。管状のスリーブ３の内周面は、切削工具を挿入し取付けるための取付穴３４を画定している。スリーブ３には、保持管体２の貫通孔２３に対応するように、外周面３２から内周面まで半径方向に貫通する複数の貫通孔３３を設けられている。すなわち、貫通孔３３の各々は、スリーブ３を保持管体２に螺合固着させたときに貫通孔２３と連通する位置に設けられている（図１参照）。
【００１７】
スリーブ３は、双晶型のＭｎ基制振合金からなり、質量％で、Ｃｕ：１６．９〜２７．７％、Ｎｉ：２．１〜８．２％、Ｆｅ：１．０〜２．９％を含むとともに、Ｃ：０．０５％以下とし、残部をＭｎ及び不可避的不純物（Ｏ、Ｎ等の低含有量元素）とした成分組成のＭｎ−Ｃｕ−Ｎｉ−Ｆｅ系制振合金からなる。ここで、かかる制振合金における各成分の組成範囲（いずれも質量％）について説明する。Ｃｕについては、１６．９％未満では双晶が生成せず、２７．７％超では偏析が大きくなって、十分な制振特性を得ることが出来ない。より好ましい組成範囲は、１９．７〜２５．０％である。Ｎｉについては、主要元素であるＭｎ及びＣｕとともに第３元素として添加することで制振特性を向上せしめ得る。ここで、２．１％未満では双晶の生成に変化を与え得ず、８．２％超では双晶の生成への寄与が飽和する。Ｆｅについては、Ｍｎ及びＣｕ、また、Ｎｉとともに、第４元素として添加することで制振特性をより向上せしめ得る。ここで、１．０％未満では双晶の生成に変化を与え得ず、２．９％超では双晶の生成への寄与が飽和する。また、Ｃについては、０．０５％以下とすることで、Ｍｎが蒸発してＣの相対的濃度が上昇しても、制振特性の劣化を防止できるのである。
【００１８】
上記したように、本実施例の制振合金は、双晶を形成し、外部から与えられる振動エネルギーを双晶界面で摩擦熱へと変換することで振動を吸収する。一般的な制振合金と比較して、広い周波数範囲の振動について高い減衰能を有し、振動を効率よく吸収できる。特に、圧縮応力を負荷されることで、より小さな応力であっても双晶界面で摩擦熱を生じるようになり、振動を効率よく吸収し得る。また、一般的な制振合金と比較して高い剛性と強度とを有している。
【００１９】
再び図１を参照すると、保持管体２の内周面２２とスリーブ３の外周面３２とは互いに螺合し、平滑な面同士で内嵌めされる場合と比較して、大なる面積で固着している。さらに、スリーブ３は、その鍔部３１の側面をより大きなヤング率を有する剛性体である保持管体２の端面２４に押圧させつつ螺合させて、ねじ切りされて軸線方向から傾斜する面からなる外周面３２により大きな面圧を負荷し、スリーブ３が保持管体２に対してより強固に固着している。
【００２０】
図４に示すように、上記した把持具１は、棒状の切削工具５０の掴み部５２を取付穴３４に挿入させた上で、図示しない切削機械に固定されたホルダ６０の保持穴６４に挿入される。このとき、フランジ２１の側面がホルダ６０に当接し、切削工具５０のチップ５１がホルダ６０から突出している。この状態で、ホルダ６０に設けられた雌ネジを有するボルト穴６３が把持具１の貫通孔２３、３３と連通した位置に配置されて、ボルト穴６３を介して複数のボルト４を締め込むと、ボルト４の先端が切削工具５０に当接する。切削工具５０はボルト４の進行方向に押圧されて、ボルト４と当接する部分と反対側の外周面がスリーブ３の内周面に押圧され、固定される。これにより、チップ５１を被加工物と相対的に移動させつつ、切削加工を行うことができる。
【００２１】
上記した実施例によれば、双晶型のＭｎ基制振合金からなるスリーブ３を剛性の高い保持管体２の内周面に、平滑な内周面で嵌め合わせる場合と比較して、大なる面積で螺合固着させている。その上で、複数のボルト４を締め込んで、切削工具５０のボルト４の当接した部分とは反対側の外周面をスリーブ３の内周面に対して押圧固定することとなる。すなわち、スリーブ３はその剛性により軸方向の全域に亘るより大なる面積で、なおかつ周方向の広い範囲に亘って保持管体２に付勢されて圧縮されつつ切削工具５０を固定する。これにより、圧縮応力下でより高い振動減衰能を有する上記した双晶型のＭｎ基制振合金の特徴を活かし、広い周波数範囲の振動を効率よく吸収できて高い減衰能を有する把持具１を与えるのである。つまり、優れた加工精度を与えるのである。
【００２２】
なお、スリーブ３の鍔部３１の側面をより大きなヤング率を有する剛性体からなる保持管体２の端面２４に押圧させつつ保持管体２の内部へねじ込みすることで、スリーブ３のねじの進行方向への力と、これに抗するようにスリーブ３の鍔部３１によって働く力とがスリーブ３のねじ切りされた外周面３２、すなわち、軸線方向に対して傾斜した面であるねじ切り面で構成される外周面３２に与えられて、スリーブ３が保持管体２に対してより強固に固着できるのである。つまり、切削工具５０に発生する振動をより効率よく吸収させ得るのである。
【００２３】
［評価試験］
次に、上記した本発明の実施例及び比較例における切削工具把持具を用いた切削加工（中ぐり加工）の結果について図５及び図６を用いて説明する。切削加工の結果は、後述するように真円度及び表面粗さを測定して評価した。
【００２４】
実施例１は、Ｓ４５Ｃからなる保持管体２に、質量％で、Ｃｕ：２２．４％、Ｎｉ：５．２％、Ｆｅ：２．０％、Ｃ：０．０１％、残部をＭｎ及び不可避的不純物とした成分組成のＭｎ−Ｃｕ−Ｎｉ−Ｆｅ系制振合金からなるスリーブ３を螺合させた切削工具把持具である（以下、「ネジ式」と称する）。詳細には、保持管体２は、外径４０ｍｍとされ、内周面にはＭ３３×２の雌ネジをその全長に亘って切られている。スリーブ３は、内径２５．２ｍｍとされ、外周面にはＭ３３×２の雄ネジを切られている。これらを螺合固着させた切削工具把持具の全長、すなわちスリーブ３の全長は９６ｍｍである。
【００２５】
比較例１は、実施例１に対してスリーブ３を保持管体２に螺合させるのではなく、円筒形状のスリーブを保持管体に冷やし嵌めして固定した切削工具把持具である（以下、「嵌合式」と称する）。なお、境界径は３１ｍｍであり、その他の寸法は実施例１と同様である。また、比較例２及び比較例３は、保持管体及びスリーブを一体形成した切削工具把持具である（以下、「一体型」と称する）。比較例２及び比較例３の材質は、それぞれ実施例１の保持管体２に用いたＳ４５Ｃ、及び、実施例１のスリーブ３に用いたＭｎ−Ｃｕ−Ｎｉ−Ｆｅ系制振合金である。
【００２６】
切削加工は、ＳＵＳ３０４からなる長さ２００ｍｍ、外径１００ｍｍ、内径６２ｍｍの円筒体の被加工物に対して、切削速度を１００ｍ／ｍｉｎ、切り込み量を０．５ｍｍ、送り速度を０．２ｍｍ／ｒｅｖ、工具突き出し量を１４０ｍｍとして、送り距離８０ｍｍの中ぐり加工を３パスで行った。
【００２７】
真円度については、中ぐり加工を３パス行った後の加工孔の内周面について、市販の３次元測定器を用いて測定した。測定は、加工孔の端面から深さ３ｍｍ、６ｍｍ、２５ｍｍ、及び４５ｍｍの４箇所で測定し、各例の総合的な評価を行うために４カ所の測定値の平均値を記録した。各例の平均値を図５下段に示す。
【００２８】
表面粗さについては、被加工物の内周面の端面から深さ３０ｍｍの箇所において、中ぐり加工を１パス行う度に市販の表面粗さ計によって３点ずつ測定し、その平均値を求めた。中ぐり加工は３パス行い、１パス毎の表面粗さＲａの平均値をそれぞれ記録した。
【００２９】
図５及び図６に示すように、「ネジ式」の実施例１では、真円度は６．３〜８．７μｍ、平均７．４μｍであり、表面粗さＲａは１．６９〜１．９３μｍであった。表面粗さＲａは、パス回数を重ねても安定した値であった。
【００３０】
一方、「嵌合式」の比較例１では、真円度は１１．９〜２１．４μｍ、平均１６．３μｍと実施例１よりも大きくなった。また、表面粗さＲａは２．４２〜５．０１μｍであり、これも実施例１と比較して大きくなった。つまり、真円度及び表面粗さＲａで評価される加工精度において、比較例１よりも実施例１が優れていた。
【００３１】
Ｓ４５Ｃからなる「一体型」の比較例２では、真円度は９．２〜１０．１μｍ、平均９．７μｍと実施例１よりも大きくなった。また、表面粗さＲａは３．９９〜５．３５μｍと実施例１よりも大きくなった。つまり、真円度及び表面粗さＲａで評価される加工精度において、比較例２よりも実施例１が優れていた。比較例２では、切削工具に発生する振動の振幅が比較的小さく真円度は比較的高いが、発生した振動を吸収できずに表面粗さが粗くなってしまったものと考えられる。
【００３２】
実施例１と同じ成分組成のＭｎ−Ｃｕ−Ｎｉ−Ｆｅ系制振合金からなる「一体型」の比較例３では、真円度は１５．０〜２５．３μｍ、平均１８．４μｍと実施例１よりも大きくなった。また、表面粗さＲａは６．５４〜９．１９μｍと実施例１よりも大きくなった。つまり、真円度及び表面粗さＲａで評価される加工精度において、比較例３よりも実施例１が優れていた。ネジ式（実施例１）や嵌合式（比較例１）に比べて制振合金をより厚く与えたため、双晶変形が不十分となって、振動を摩擦熱へ効率的に変換できず、良好な制振性を得られなかったものと考える。
【００３３】
以上のように、実施例１の切削工具把持具を用いた中ぐり加工では、真円度及び表面粗さで評価される加工精度において非常に優れていた。かかる把持具１は、一般的な制振合金と比較して高い剛性と強度を有しつつ特に圧縮応力下で広い周波数範囲で振動を効率よく吸収できる双晶型のＭｎ基制振合金を用いたスリーブ３を剛性の高い保持管体２に螺合固着させてかかる高い加工精度を達成し得るのである。
【００３４】
また、図７に示すように、保持管体２の貫通孔２３及びスリーブ３の貫通孔３３の内周面に連続した雌ネジを与え、これに止めネジ４２を締め込んで先端を切削工具５０に当接させて切削工具５０をスリーブ３の内周面に押圧、固定してもよい。このとき、止めネジ４２は保持管体２の外周面から突出せず、ホルダ６０に接触しない。なお、保持管体２は、図示しないボルトでホルダ６０に押圧され固定されている。止めネジ４２がホルダ６０に接触せず、切削工具５０に発生する振動が切削工具把持具１の外部へと伝達することを減じ得る。他の例として、より短い止めネジ４２を用いて、スリーブ３の外周面から突出しないようにしてもよい。すなわち、止めネジ４２をホルダ６０だけでなく保持管体２にも接触させないようにすることで、切削工具５０に発生する振動をスリーブ３を介さずに外部へ伝達させないようにし得る。
【００３５】
ここまで本発明による代表的実施例について説明したが、本発明は必ずしもこれに限定されるものではない。当業者であれば、本発明の主旨又は添付した特許請求の範囲を逸脱することなく、種々の代替実施例及び改変例を見出すことができるだろう。
【符号の説明】
【００３６】
１    把持具
２    保持管体
３    スリーブ
２２  内周面
３１  鍔部
３２  外周面
３４  取付穴
５０  切削工具
【図１】
2014008572.tif 000003
【図２】
2014008572.tif 000004
【図３】
2014008572.tif 000005
【図４】
2014008572.tif 000006
【図５】
2014008572.tif 000007
【図６】
2014008572.tif 000008
【図７】
2014008572.tif 000009